(57)【要約】【課題】雨樋内の積雪、氷結防止のための融雪可能な面状電熱カーボンヒーターを使用する。【解決手段】  雨樋内に必要枚数に応じて連接させた面状電熱カーボンヒーターを斜面状態で当接させた段階で、取付具を介して雨樋に固着させ、電気コードで配電盤に接続可能とする雨樋用融雪装置及びその方法【選択図】図１
2005213995.tif 000002
【特許請求の範囲】
【請求項１】
ほぼ水平状態で配置される雨樋内に降雪感知センサーと接続可能な板状の面状電熱カーボンヒーター（１）を設置する際、面状電熱カーボンヒーター（１）の長手方向両端辺部（２）を雨樋内上部（３）と雨樋内底部（４）のみが面状電熱カーボンヒーター（１）の全面が斜面となるよう当接し、かつ長手方向に面状電熱カーボンヒーター（１）が何枚も連結可能とし、長手方向両端辺部（２）に適所設けた取付具（５）を介して雨樋に固着し、面状電熱カーボンヒーター（１）自体に電気コード（６）を有する雨樋用融雪装置
【請求項２】
ほぼ水平状態で配置される雨樋内に降雪感知センサーと接続可能な板状の面状電熱カーボンヒーター（１）を設置する際、面状電熱カーボンヒーター（１）の長手方向両端辺部（２）を雨樋内上部（３）と雨樋内底部（４）のみが面状電熱カーボンヒーター（１）の全面が斜面となるよう当接し、かつ長手方向に面状電熱カーボンヒーター（１）が何枚も連結可能とし、長手方向両端辺部（２）に適所設けた取付具（５）を介して雨樋に固着し、面状電熱カーボンヒーター（１）自体に配置した電気コード（６）で連結する面状電熱カーボンヒーター（１）どうしを接続かつ配電盤等に接続可能とする雨樋用融雪装置設置方法
【請求項３】
ほぼ水平状態で配置される雨樋内に降雪感知センサーと接続可能な板状の面状電熱カーボンヒーター（１）を設置する際、雨樋内底部（４）に面状電熱カーボンヒーター（１）の下面が当接載置し、かつ長手方向に面状電熱カーボンヒーター（１）が何枚も連結可能とし、長手方向両端辺部（２）に適所設けた取付具（５）を介して雨樋に固着し、面状電熱カーボンヒーター（１）自体に電気コード（６）を有する雨樋用融雪装置
【請求項４】
ほぼ水平状態で配置される雨樋内に降雪感知センサーと接続可能な板状の面状電熱カーボンヒーター（１）を設置する際、雨樋内底部（４）に面状電熱カーボンヒーター（１）の下面が当接載置し、かつ長手方向に面状電熱カーボンヒーター（１）が何枚も連結可能とし、長手方向両端辺部（２）に適所設けた取付具（５）を介して雨樋に固着し、面状電熱カーボンヒーター（１）自体に配置した電気コード（６）で連結する面状電熱カーボンヒーター（１）どうしを接続かつ配電盤等に接続可能とする雨樋用融雪装置設置方法
【発明の詳細な説明】
【技術分野】
【０００１】  本発明は、雨樋に降った雪が積雪、氷結しないための装置及びその方法に関するものである。
【背景技術】
【０００２】  近年、積雪地域において、屋根に積雪した雪が雨樋にまで覆い、その結果氷結して屋根端や雨樋を破損したり、発生したつららが落下することで被害を及ぼすことがある。それを防ぐため、近年雨樋に融雪装置を設置して積雪を融解させ水にして流す方法が実施されている。【０００３】  融雪方法としては、電熱ヒーター型、温水型、温風型等様々な方法が工夫されている。ところが温水型では必ず他の箇所に温水を生み出すボイラー等の設置場所確保やそれに係る費用が余分に必要となる。また温風型では温風発生装置の設置場所確保や温風が効率よく雨樋に噴射されるよう温風発生装置から雨樋までパイプの設置が必至でありこれも余分な費用が必要となる。【０００４】  そこで電熱線を基盤とした電熱ヒーター型に着眼すると、従来技術としては雨樋上両端部に当接させ雨樋を覆う様に設置する板状電熱ヒーターが考案されている。
【実用新案文献１】
実開昭５５−８５４２２号公報
【発明の開示】
【発明が解決しようとする課題】
【０００５】  解決しようとする課題は主に次の３点である。まず第一に雨樋を覆う雪を如何にムラなく融雪するかということである。雨樋には屋根から移動する雪や直接積もる雪があり、かなりの量の積雪が見込まれる。そのため融雪にムラがあると融け残った雪に新たな雪が重なりその部分は氷結する可能性が大である。いったん氷結すると融解するにはかなりの熱量を加えなければならず、通常の電力では困難である。即ち氷結する前、積雪を残す前に融雪することが絶対条件となる。雨樋の底部に設置する線状ヒーターでは熱が伝わる部分が面でなく線に限られてしまい、非常に限定された融雪方法であるため、すこし離れた雨樋部では融雪するほどの熱量は伝播せず、線状ヒーター設置部分のみが融雪され他の部分は積雪、氷結してしまう謂わばトンネル化現象が生じることになる。。【０００６】  実開昭５５−８５４２２号では雨樋の上部全面を覆う様に面状電熱ヒーターを設置する装置であり、確かに上部全面を覆うためその上の雪は氷結することなく解かすことができるのだが、第２の課題は解けた水が最後まで氷結せず水平状態の雨樋から垂直状態の雨樋まで確実に流すことができるか否かである。【０００７】  実開昭５５−８５４２２号の考案では、面状電熱ヒーター自体に適数の孔を設けその孔から解けた水が雨樋の底部に落下するのだが、雨樋上部に位置する孔と雨樋底部との間には熱伝導媒体もなく確実に一定の距離、空間が存在するため、落下した水及び雨樋底部には熱は伝播せず結局雨樋底部に位置する水は再び氷結することに陥ってしまう。【０００８】  第３の課題は、面状電熱ヒーター設置で考慮しなければならない点がある。面状電熱ヒーターは線状電熱ヒーターと比べてはるかに広範囲に熱伝導が可能なのだが、板状であるため、風による揚力のため設置した雨樋から離脱する可能性が生じる。そのためで取付方法をより強固に実施しなければならず、帯状の固定器具を面状電熱ヒーターの上から押しつける様に当接固定しなければならず、その結果雨樋に余分な負荷をかけたり、また帯状の固定具自体には電熱線は内蔵されておらず、その上を覆う雪は解けることなく積雪、氷結することになるため、融雪させる上で避けなければならない部分的な積雪、氷結を許することになる。
【課題を解決するための手段】
【０００９】  本発明は、以上３点の課題を克服し、雨樋を覆う雪をムラなく解かし、融解した水を再氷結させることなくスムースに垂直状態の雨樋に流す手段を有し、設置方法も簡単である耐久性、経済性、取付方法にすぐれた雨樋融雪装置を提供することを目的とする。
【発明の効果】
【０００１０】  雨樋内の積雪、氷結を防ぐには既に積雪、氷結した段階ではかなり困難であり、雪が雨樋に触れた瞬間に解かして水に変化させ、雨樋を水が流れている間に再氷結することなくスムースに垂直状態の雨樋まで達することが最大の課題となる。【０００１１】  本発明はいずれもこの課題を克服している。まず面状電熱カーボンヒーターを使用するため軽量化されており雨樋への重量負荷はほとんどない。次に第１の点では実開昭５５−８５４２２号のように融解させた水や雨水を雨樋内底部に落下誘導させるための面状電熱カーボンヒーター自体に適数の孔は一切設けない。このことはすべての面に電熱効果が生じるため一部に積雪が残存することは一切なく、完全に融解して水に変えることができる。【０００１２】  また面状電熱カーボンヒーター自体の設置方法は主に２通りあり、請求項１では雨樋上部を覆う様に水平には取り付けず一方の長辺部を雨樋底部近くまで位置させるので、面状電熱カーボンヒーターに直接雪が触れる場合はもちろん面状電熱カーボンヒーター以外の雨樋内上部に降雪した場合でも雨樋底部まですべり落ち、雨樋内底部に位置する長辺部一端からの熱伝導により融解する。【０００１３】  請求項３では面状電熱カーボンヒーターを雨樋内底部に当接載置させるので、面状電熱カーボンヒーターに直接雪が触れる場合はもちろん面状電熱カーボンヒーター以外の雨樋内上部に降雪した場合でも雨樋底部まですべり落ち、すべての雪は融解することになる。【０００１４】  第２の点では、本発明の請求項１の面状電熱カーボンヒーターは長辺部の一端は雨樋内の上部近くに他の一端は雨樋の底部近くに全体が斜面となるよう位置させるため、溶けた水や雨水は斜面を流れ雨樋の底部に集まる。しかも水が流れる雨樋底部には面状電熱カーボンヒーターの一端が直接接触しているため一旦溶けた水が再氷結することもなくそのまま雨樋垂直部までスムースに流れ込むことになる。【０００１５】  本発明の請求項３の面状電熱カーボンヒーターは雨樋内底部に全体が当接載置するよう位置させるため、融解した水は面状電熱カーボンヒーター上を流れることになり、常時熱伝導が生じ氷結することなどあり得ない。【０００１６】  第３の点は、設置方法であるが、本発明の請求項１の面状電熱カーボンヒーターは雨樋に沿うように雨樋内に斜めに斜面形成するよう設置するため、完全に雨樋内に位置することになり、風の影響はほとんどなくかつ風の揚力も雨樋上端部に被嵌するよう水平状態に設置する場合よりはるかに弱く、長手方向両端辺部適所にあらかじめ設けた取付具による雨樋への取付のみで十分にである。請求項３の場合では雨樋内底部に全体が当接載置されるため風の揚力を受けることはない。つまり設置した面状電熱カーボンヒーター自体の吹き上がり防止のための余分な別工程は必要ない。【０００１７】  以上の如く本発明は雨樋内に既に積雪、氷結した段階で融雪、解氷するのではなく、雪が面状電熱カーボンヒーターにふれた瞬間に融解させてしまう装置であり、かつ全面に電熱効果を発揮させるため、積雪状態を許さず、従って氷結もあり得ないことになる。また雨樋内に斜めに設置するため風の影響も受けにくく、面状電熱カーボンヒーター自体の吹き上��りも防ぐことができる。また、設置後下から雨樋を見上げても設置装置は目に入らず建物の景観を損ねることもない。設置手段も極めて容易であり、機能的な面状電熱カーボンヒーターを提供するものである。更に降雪感知センサーを接続するため、降雪したときのみ電源が入るので極めて経済的である。
【発明を実施するための最良の形態】
【０００１８】  雨樋内に設置可能な板状の面状電熱カーボンヒーターを使用し、かつ雨樋の長さに合わせて何枚も連結可能であり、電源コードも一か所のみでよくあらゆる雨樋に対応できるため特別仕様の必要もなく、そのため同形の面状電熱カーボンヒーター、取付具を使用すればよく、設置方法も事前のシュミレーションの必要もなく現場ですぐに作業に入ることができる。
【実施例】
【０００１９】  準備段階として設置必要の雨樋の長さに対し、必要な面状電熱カーボンヒーター（１）を用意し、それに伴って取付具（５）を適数用意し、あらかじめ取付具（５）を面状電熱カーボンヒーター（１）に装着しておく。【０００２０】  設置作業手順として請求項１、図面１をもとに説明すると、ほぼ水平状態で配置される雨樋内に沿って板状の面状電熱カーボンヒーター（１）を面状電熱カーボンヒーター（１）の長手方向両端辺部（２）を雨樋内上部（３）と雨樋内底部（４）のみが面状電熱カーボンヒーター（１）の全面が斜面となるよう当接載置させる。次に雨樋の長さに合わせて必要な面状電熱カーボンヒーター（１）長手方向に連接させ、長手方向両端辺部（２）適所にあらかじめ装着している取付具（５）を介して面状電熱カーボンヒーター（１）とは接触しない雨樋上端部に取付固着させる。【０００２１】  後は電源コード（６）を建物適所に設置した配電盤に接続させるだけで、すべての設置作業工程は完了する。【０００２２】  以上の如く極めて容易な設置方法、工程であり、カーボン使用でありかつ余分な器具も一切使用しないため雨樋に余分な重量不可も与えず、耐久性も確保できる実施形態となる。
【産業上の利用可能性】
【０００２３】  ほぼ水平状態で設置される雨樋に対し、いつでも簡単に取付可能であり、積雪、氷結及びつららによる雨樋の欠損及びつららの落下による二次被害を完全に防ぐことができるのであらゆる雨樋に利用することができる。
【図面の簡単な説明】
【０００２４】
【図１】本件発明の請求項１に係る設置状態での断面図
【図２】本件発明に係る面状電熱カーボンヒーター
【符号の説明】
【０００２５】１  面状電熱カーボンヒーター
２  長手方向両端辺部
３  雨樋内上部
４  雨樋内底部
５  取付具
６  電気コード
【図１】
2005213995.tif 000003
【図２】
2005213995.tif 000004